(57)【要約】【課題】高精細な画像表示を、高輝度、且つ画素間の放電干渉を生じさせることなく行うことができるプラズマディスプレイパネルを提供することを目的とする。【解決手段】プラズマディスプレイパネルにおいて、基板８に放電空間１３を仕切る複数の隔壁１１と、この隔壁１１間に複数の補助隔壁１５とを設け、補助隔壁１５の上面１５ａには凹部１５ｂを備えたものとする。この構造により、焼成による固化の際に収縮する補助隔壁の上面の反り返りを低減して、高精細な画像表示を、高輝度、且つ画素間の放電干渉を生じさせることなく行うことができるプラズマディスプレイパネルの実現が可能となる。【選択図】　　　図１
2004014479.tif 000002
【特許請求の範囲】
【請求項１】
一対の基板を内部に放電空間が形成されるように対向配置することにより構成され、少なくとも一方の基板には放電空間を仕切る複数の隔壁とこの隔壁間に分離して設けられた複数の補助隔壁とを有し、且つ補助隔壁の上面に凹部を設けたプラズマディスプレイパネル。
【請求項２】
凹部は、補助隔壁の前記隔壁の配列方向の幅に対してほぼ中央に存在する請求項１記載のプラズマディスプレイパネル。
【請求項３】
凹部は、複数個設けられている請求項１記載のプラズマディスプレイパネル。
【請求項４】
一対の基板を内部に放電空間が形成されるように対向配置することにより構成され、少なくとも一方の基板には放電空間を仕切る複数の隔壁と隔壁間に設けられた複数の補助隔壁とを有し、且つ補助隔壁の内部には空洞部を設けたプラズマディスプレイパネル。
【請求項５】
空洞部は、補助隔壁の隔壁間方向の幅に対してほぼ中央に設けられた請求項４記載のプラズマディスプレイパネル。
【請求項６】
空洞部は、複数個設けられている請求項４記載のプラズマディスプレイパネル。
【発明の詳細な説明】
【０００１】
【発明の属する技術分野】
本発明は、大画面で、薄型、軽量のディスプレイ装置として知られているプラズマディスプレイパネルに関するものである。
【０００２】
【従来の技術】
プラズマディスプレイパネル（以下、ＰＤＰと記す）では、ガス放電により紫外線を発生させ、この紫外線で蛍光体を励起して発光させることによりカラー表示を行っている。
【０００３】
ＰＤＰには、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のＰＤＰが主流である。
【０００４】
このＰＤＰの一般的な構造を図７に示す。
図７はＰＤＰの概略構成を示す断面斜視図である。前面板１は、例えばガラスのような透明かつ絶縁性の基板２の上に誘電体層３およびＭｇＯ蒸着膜による保護膜４で覆われた複数の表示電極５が付設された構造となっている。表示電極５は、走査電極６ａと維持電極６ｂとが対となったものである。
【０００５】
背面板７は、例えばガラスのような絶縁性の基板８上に絶縁体層９で覆われた複数のデータ電極１０が付設され、絶縁体層９の上で隣接するデータ電極１０の間の位置には、データ電極１０と平行してストライプ状の隔壁１１が設けられており、絶縁体層９の表面と隔壁１１の側面にかけて蛍光体層１２が設けられた構造となっている。
【０００６】
そして前面板１と背面板７とは、走査電極６ａおよび維持電極６ｂとデータ電極１０とが直交するように放電空間１３を挟んで対向して配置されている。そして放電空間１３には、放電ガスとして、ヘリウム、ネオン、アルゴン、キセノンのうち、少なくとも１種類の希ガスが封入されており、隔壁１１によって仕切られデータ電極８と走査電極５ａおよび維持電極５ｂとの交差部の放電空間１３が放電セル１４として動作する。
【０００７】
【発明が解決しようとする課題】
隔壁１１が図７に示すようなストライプ状のパネルの場合、画素間どうしの放電の干渉を防止するために、表示電極５の配設ピッチＸは、放電ギャップＹに比べ数倍広く取る必要がある。
【０００８】
一方、ＰＤＰに対して高精細化への要求が高まっており、これに対応するためには表示電極５の配設ピッチＸを従来に比べ縮小することが必要となるが、上述した放電干渉の防止という観点から、放電ギャップＹも併せて縮小させることが必要となる。しかしながら、放電ギャップＹを縮小させることは、パネル輝度の低下という新たな問題を生じさせることから、放電ギャップＹはそのままで表示電極５の配設ピッチＸのみを縮小させ、且つ放電の干渉は防止できるという構成の実現が求められている。
【０００９】
本発明はこのような状況に鑑みてなされたものであり、高精細な画像表示を、高輝度、且つ画素間の放電干渉を生じさせることなく行うことができるプラズマディスプレイパネルを実現することを目的とする。
【００１０】
【課題を解決するための手段】
上記の目的を達成するために、本発明のプラズマディスプレイパネルは、一対の基板を内部に放電空間が形成されるように対向配置することにより構成され、少なくとも一方の基板には放電空間を仕切る複数の隔壁と隔壁間に設けられた複数の補助隔壁とを有し、且つ補助隔壁の上面に凹部を設けたものである。
【００１１】
また、上記の目的を達成するために、本発明のプラズマディスプレイパネルは、一対の基板を内部に放電空間が形成されるように対向配置することにより構成され、少なくとも一方の基板には放電空間を仕切る複数の隔壁と隔壁間に設けられた複数の補助隔壁とを有し、且つ補助隔壁の内部には空洞部を設けたものである。
【００１２】
以上によれば、高精細な画像表示を、高輝度、且つ画素間の放電干渉を生じさせることなく行うことができるプラズマディスプレイパネルを実現することが可能となる。
【００１３】
【発明の実施の形態】
以下、本発明の一実施の形態によるＰＤＰについて説明するが、本発明の実施の態様はこれに制限されるものではない。
【００１４】
図１に本発明の第１の実施の形態のパネル概略構成の斜視図を示す。図７で示した従来のパネル構成と同様の部分については同一番号を付している。
前面板１は、例えばガラスのような透明且つ絶縁性の基板２上に誘電体層３およびＭｇＯ蒸着膜による保護膜４で覆われた複数の表示電極５が付設された構造となっている。表示電極５は、走査電極６ａと維持電極６ｂとが対となったものである。また、背面板７は、例えばガラスのような絶縁性の基板８上に絶縁体層９で覆われた複数のデータ電極１０が付設され、絶縁体層９の上で隣接するデータ電極１０の間の位置にはデータ電極１０と平行してストライプ状の隔壁１１と、ストライプ状の隔壁１１間に補助隔壁１５が設けられており、絶縁体層９の表面と隔壁１１および補助隔壁１５の側面にかけて蛍光体層１２が設けられた構造となっている。そして前面板１と背面板７とは、走査電極６ａおよび維持電極６ｂとデータ電極１０とが直交するように放電空間１３を挟んで対向して配置されている。そして放電空間１３には、放電ガスとして、ヘリウム、ネオン、アルゴン、キセノンのうち、少なくとも１種類の希ガスが封入されており、隔壁１１および補助隔壁１５によって仕切られデータ電極１０と走査電極６ａおよび維持電極６ｂとの交差部の放電空間１３が放電セル１４として動作する。
【００１５】
本実施の形態の特徴的なところは、ストライプ状の隔壁１１の間に補助隔壁１５を設けたことである。そこで、補助隔壁１５について更に詳細に説明する。
ストライプ状の隔壁１１と隔壁１１間の補助隔壁１５の拡大部を図２に示す。
【００１６】
図２（ａ）はＰＤＰの画像表示面側から見た平面図であり、図２（ｂ）は基板８に垂直な面による断面図である。ここでは蛍光体層１２は図示していない。
図２に示すように、補助隔壁１５は、例えば、その上面１５ａの平面形状は角Ｆが丸みを持った形状（図２にはその最たるものとして円形状とした例を示す）で、上面１５ａに凹部１５ｂを有し、隔壁１１に対して基板６側から所定の範囲ｈに結合部１５ｃを備えた構造である。
【００１７】
ここで、上述した隔壁１１および補助隔壁１５の具体的な寸法は、例えばワイドＸＧＡ（ＷＸＧＡ）ＰＤＰの場合、画素数は１０２４×７６８（個）であり、４２インチクラスでの放電セル１４のサイズは６７５μｍ×３００μｍとなることから、隔壁１１の幅ａは４０μｍ程度、隔壁１１の間隔ｂは２６０μｍ程度、補助隔壁の高さｃは１２０μｍ程度であり、上面１５ａの平面形状の角Ｆの丸みもμｍオーダーのものである。
【００１８】
上述のような、本実施の形態によるプラズマディスプレイパネルによれば、ＰＤＰの高精細化に際し、放電ギャップＹはそのままで表示電極５の配設ピッチＸのみを縮小させたとしても、隔壁１１間に上述のような補助隔壁１５が設けられていることから、隣接する放電セル１４間での放電の干渉が発生することはない。したがって高精細な画像表示を、高輝度、且つ画素間の放電干渉を生じさせることなく行うことが可能となる。
【００１９】
また、補助隔壁１５の形成方法としては、例えば、基板８の絶縁層９上に、補助隔壁材料をペースト化したものを、補助隔壁１５の形状に塗布・形成し、その後、それを焼成により固化させるという形成方法が採られる場合が多いが、このような形成方法の場合、焼成による固化の際、感光性ペーストには収縮が発生し、この収縮に伴って補助隔壁１５は変形してしまう。
【００２０】
例えば、補助隔壁１５が図３（ａ）に示すように、補助隔壁１５の上面１５ａに凹部１５ｂがなく、補助隔壁１５の全体が密に詰まった構造の場合には、焼成による固化の際に矢印Ｅ１，Ｅ２で示すような収縮が発生し、その収縮の大きさは補助隔壁１５の中央部の方が周辺部に比べ大きくなる。
【００２１】
その結果、補助隔壁１５の上面１５ａは図３（ｂ）に示すように、中央部がへこみ、それに応じて周辺部が反り立ったような、すり鉢状の形状となってしまう。
【００２２】
その程度が激しい場合には、反り立った周辺部が隔壁１１の高さを超えてしまうことになる。このような場合、前面板１と背面板７とを重ね合わせた際、隔壁１１と前面板１との間には隙間が生じ、その結果、隔壁１１を挟んで隣接する放電セル１４の間で放電の干渉が発生してしまい、良好な画像表示が困難となってしまうのであるが、本実施の形態によれば、補助隔壁１５はその上面１５ａに凹部１５ｂを備えたものであることから、補助隔壁１５の中央部に存在する補助隔壁１５の材料は少なくなっており、したがって補助隔壁１５の中央部の収縮量は小さくなる。
【００２３】
これにより、焼成時に収縮が発生しても上述のような補助隔壁１５の上面１５ａの周辺部が反り立った形状となることはなく、隔壁１１を挟んで隣接する放電セル１４間での放電の干渉が発生することはない。
【００２４】
ここで凹部１５ｂは、補助隔壁１５の中央部において、焼成・固化の際に収縮する補助隔壁材料の存在を少なくして収縮量を小さくし、周辺部での収縮量と合致させ、それによって上面１５ａの反り返りを防止しようとするためのものであり、補助隔壁１５の中央部の補助隔壁材料を少なくするための構造は特に図２に示した凹部１５ｂに限られるものではなく、例えば図４（ａ）（ｂ）に示すような、補助隔壁１５の内部に空洞１５ｄを備える構成や、図５（ａ）（ｂ）に示すような、複数個の凹部１５ｂを備える構成などでも本実施の形態と同じ効果を得ることができる。また、補助隔壁１５の内部に、図５に示した複数個の凹部１５ｂの場合と同様に、複数の空洞１５ｄを備える構成でも同じ効果を得ることができる。
【００２５】
ここで、凹部１５ｂもしくは空洞部１５ｄの領域の大きさは、焼成・固化の際の補助隔壁１５の中央部での収縮量と周辺部での収縮量とを合致させるという観点から決定すれば良い。
【００２６】
また、補助隔壁１５の焼成・固化の際の収縮において、凹部１５ｂもしくは空洞部１５ｄの存在場所が、偏心している場合には収縮量のばらつきが発生するため、補助隔壁１５は曲がった状態となってしまう。
【００２７】
したがって、凹部１５ｂもしくは空洞部１５ｄは、補助隔壁１５のほぼ中央部に存在することが好ましいが、補助隔壁１５の曲がりによる影響度合いの違いから、隔壁１１に平行方向に曲がる方が、隔壁１１に向かう方向に曲がるよりは好ましく、したがって、凹部１５ｂもしくは空洞部１５ｄの偏心状態としては、図６（ａ）に示すような、隔壁１１に対して平行で補助隔壁１５の中心を通る線上に偏心して存在する状態、言い換えると、前記隔壁１１の配列方向（矢印Ａ方向）の補助隔壁１５の幅に対してほぼ中央に存在する状態の方が、図６（ｂ）に示すような、隔壁１１に対して直角で補助隔壁１５の中心を通る線上に偏心して存在する状態より好ましい。
【００２８】
なお、以上の説明では、補助隔壁１５および隔壁１１は絶縁層９上に形成されている構成を示したが、特にこの構成に限るものではなく、例えば絶縁層９がなく基板８上に直接、隔壁１１および補助隔壁１５が形成されているという構成であっても本発明の効果は同様に得られる。
【００２９】
また、以上の説明では、ＡＣ面放電型を例に説明したが、これに限られるものではなく、ＤＣ型、対向放電型など、その他のパネルにおいても同様の効果を得ることができる。
【００３０】
【発明の効果】
以上のように本発明によれば、放電空間を仕切る複数の隔壁と隔壁間に設けられた複数の補助隔壁とを有し、補助隔壁の上面に凹部を設けるか、あるいは補助隔壁の内部に空洞部を設けたことによって、焼成による固化の際に収縮する補助隔壁の上面の反り返りを低減して、高精細な画像表示を、高輝度、且つ画素間の放電干渉を生じさせることなく行うことができるプラズマディスプレイパネルを実現することが可能となる。
【図面の簡単な説明】
【図１】本発明の一実施の形態によるプラズマディスプレイパネルの概略構成を示す断面斜視図
【図２】本発明の一実施の形態によるプラズマディスプレイパネルの隔壁および補助隔壁の概略構成を示す断面図
【図３】補助隔壁の、焼成による固化の際の形状変形の状態の説明図
【図４】本発明の他の実施の形態によるプラズマディスプレイパネルの隔壁および補助隔壁の概略構成を示す断面図
【図５】同じく、本発明の他の実施の形態によるプラズマディスプレイパネルの隔壁および補助隔壁の概略構成を示す断面図
【図６】凹部もしくは空洞部の補助隔壁内での偏心状態を示す図
【図７】従来のプラズマディスプレイパネルの概略構成を示す断面斜視図
【符号の説明】
２　　　基板
８　　　基板
１１　　隔壁
１３　　放電空間
１５　　補助隔壁
１５ｂ　凹部
１５ｄ　空洞部
Ａ　　隔壁１１の配列方向
【図１】
2004014479.tif 000003
【図２】
2004014479.tif 000004
【図３】
2004014479.tif 000005
【図４】
2004014479.tif 000006
【図５】
2004014479.tif 000007
【図６】
2004014479.tif 000008
【図７】
2004014479.tif 000009